(57)【要約】  本発明は、配電盤キャビネット用のフレーム枠であって、水平方向のフレーム成形材と垂直方向のフレーム成形材とを有しており、正面及び背面側の垂直方向のフレーム成形材と水平方向のフレーム成形材とが各１つの垂直方向フレームを形成しており、これらの２つの垂直方向フレームが、底部部材及び屋根部材によって互いに結合されており、しかも、当該の垂直方向フレームが、底部部材及び屋根部材の縁曲げされた固定縁部に様々な間隔で取付け可能であり、垂直方向のフレーム成形材が、フレーム枠の奥行きの方向で延びるベース脚部を有しており、該ベース脚部に２つの側方脚部が結合されており、この場合、これらの側方脚部がベース脚部に対して直角に位置しており、側方脚部とベース脚部とが、それぞれ成形部材長手方向で延びる固定取付け部のピッチパターン列を有している形式のものに関する。本発明では、２つの側方脚部のピッチパターンが互いに異なっており、この場合、２つの垂直方向のフレーム成形材が、それぞれ第１の側方脚部の固定取付け部を以てインチによる固定平面を形成しており且つ第２の側方脚部の固定取付け部を以てメートルによる固定平面を形成している。
2007524333.tif 000002
【特許請求の範囲】
【請求項１】
配電盤キャビネット用のフレーム枠であって、水平方向のフレーム成形材（１５）と垂直方向のフレーム成形材（１０）とを有しており、正面及び背面側の垂直方向のフレーム成形材（１０）と水平方向のフレーム成形材（１５）とが各１つの垂直方向フレーム（２０）を形成しており、これらの２つの垂直方向フレーム（２０）が、底部部材及び屋根部材（３０）によって互いに結合されており、しかも、当該の垂直方向フレーム（２０）が、底部部材及び屋根部材（３０）の縁曲げされた固定縁部（３１）に様々な間隔で取付け可能であり、垂直方向のフレーム成形材（１０）が、フレーム枠の奥行きの方向で延びるベース脚部（１２）を有しており、該ベース脚部に２つの側方脚部（１６）が結合されており、この場合、これらの側方脚部（１６）がベース脚部（１２）に対して直角に位置しており、側方脚部（１６）とベース脚部（１２）とが、それぞれ成形部材長手方向で延びる固定取付け部（１７）のピッチパターン列を有している形式のものにおいて、
２つの側方脚部（１６）のピッチパターンが互いに異なっており、この場合、２つの垂直方向のフレーム成形材（１０）が、それぞれ第１の側方脚部（１６）の固定取付け部（１７）を以てインチによる固定平面を形成しており且つ第２の側方脚部（１６）の固定取付け部（１７）を以てメートルによる固定平面を形成していることを特徴とする、配電盤キャビネット用のフレーム枠。
【請求項２】
第１の側方脚部（１６）がベース脚部（１２）から縁曲げされており、該ベース脚部（１２）の第１の側方脚部（１６）とは反対の側の端部が、折り曲げられた成形区分（１９）に移行しており、該成形区分（１９）から、ベース脚部（１２）に対して平行に位置する成形面（１８）が出発しており、該成形面（１８）が１列の固定取付け部（１８．１）を有しており、更に、成形面（１８）から第２の側方脚部（１６）が縁曲げされている、請求項１記載のフレーム枠。
【請求項３】
成形面（１８）と第２の側方脚部（１６）とが、フレーム枠の内室に面した内縁部（１８．２）を形成しており、当該の成形面（１８）及び第２の側方脚部（１６）に設けられた固定取付け部（１８．１，１７）の列が、同じピッチパターンで配置されている、請求項２記載のフレーム枠。
【請求項４】
垂直方向フレーム（２０）が、垂直方向のフレーム成形材（１０）のベース脚部（１２）を以て底部部材及び屋根部材（３０）の固定縁部（３１）の内側に接触し且つ底部部材及び屋根部材に結合されている、請求項１から３までのいずれか１項記載のフレーム枠。
【請求項５】
水平方向のフレーム成形材（１５）にケーブル導入開口（１８）が設けられており、底部部材及び屋根部材（３０）の、垂直方向フレーム（２０）の水平方向のフレーム成形材（１５）の領域に切欠き（３７）が設けられている、請求項１から４までのいずれか１項記載のフレーム枠。
【請求項６】
垂直方向フレーム（２０）がそれぞれ同一に形成されている、請求項１から５までのいずれか１項記載のフレーム枠。
【請求項７】
底部部材及び屋根部材（３０）が、それぞれ同一に且つ固定縁部（３１）に対して平行に延びる中心平面に対して対称的に形成されている、請求項１から６までのいずれか１項記載のフレーム枠。
【請求項８】
垂直方向フレーム（２０）の垂直方向のフレーム成形材（１０）と水平方向のフレーム成形材（１５）とが、薄板打抜き・曲げ部材として形成されており且つ溶接によって垂直方向フレーム（２０）を形成するように結合されている、請求項１から７までのいずれか１項記載のフレーム枠。
【請求項９】
底部部材及び屋根部材（３０）が、フレーム枠の被覆部材として形成されており且つ薄板打抜き・曲げ部材として製作されている、請求項１から７までのいずれか１項記載のフレーム枠。
【発明の詳細な説明】
【技術分野】
【０００１】
本発明は、配電盤キャビネット用のフレーム枠であって、水平方向のフレーム成形材と垂直方向のフレーム成形材とを有しており、正面及び背面側の垂直方向のフレーム成形材と水平方向のフレーム成形材とが各１つの垂直方向フレームを形成しており、これらの２つの垂直方向フレームが、底部部材及び屋根部材によって互いに結合されており、しかも、当該の垂直方向フレームが、底部部材及び屋根部材の縁曲げされた固定縁部に様々な間隔で取付け可能であり、垂直方向のフレーム成形材が、フレーム枠の奥行きの方向で延びるベース脚部を有しており、該ベース脚部に２つの側方脚部が結合されており、この場合、これらの側方脚部がベース脚部に対して直角に位置しており、側方脚部とベース脚部とが、それぞれ成形部材長手方向で延びる固定取付け部のピッチパターン列を有している形式のものに関する。
【０００２】
このような形式のフレーム枠は、国際公開第９５／１７８０３号パンフレットから公知である。２つの垂直方向フレームは、フレーム枠によって取り囲まれた内室に組込み部材を固定するために役立つ。この場合、組込み部材は選択的に第１又は第２の側方脚部に固定可能である。
【０００３】
これらの公知のフレーム枠の場合は、フレーム枠の幅及び高さが不動に規定されている。今、様々な組込み幅を有する、例えば１９″の組込み部材のためのフレーム枠も必要とされている。
【０００４】
本発明の課題は、組込み幅を簡単に様々な組込み奥行きに適合させることのできる、簡単に構成可能なフレーム枠を提供することである。
【０００５】
この課題は本発明に基づいて、２つの側方脚部のピッチパターンが互いに異なっており、この場合、２つの垂直方向のフレーム成形材が、それぞれ第１の側方脚部の固定取付け部を以てインチによる固定平面を形成しており且つ第２の側方脚部の固定取付け部を以てメートルによる固定平面を形成していることによって解決される。これにより、手間のかかる改造手段を必要とすること無しに、構造的に簡単に構成された単一のフレーム枠に、インチ式の組込み部材もメートル式の組込み部材も固定することができる。
【０００６】
底部部材及び屋根部材に接する２つの垂直方向フレームの間隔を選択することによって、フレーム枠を所望の組込み奥行きに設定することができる。このようにして、フレーム枠の使用範囲が拡張され且つ様々な奥行きの組込み部材のために設定可能である。
【０００７】
本発明の有利な構成では、第１の側方脚部がベース脚部から縁曲げされており、このベース脚部の第１の側方脚部とは反対の側の端部が、曲げられた成形区分に移行しており、この成形区分から、ベース脚部に対して平行な成形面が出発しており、この成形面が１列の固定取付け部を有しており、更に、成形面から第２の側方脚部が縁曲げされている。この場合、簡単に製作可能な形状安定型の成形横断面が得られる。
【０００８】
この場合付加的に、成形面と第２の側方脚部とが、フレーム枠の内室に面した内縁部を形成し且つ当該の成形面及び第２の側方脚部において、固定取付け部の列が同じピッチパターンで配置されていると、前側の垂直方向フレームと後ろ側の垂直方向フレームとが互いに向かい合った内縁部を形成し、しかも、側方脚部はそれぞれ互いに面している。この場合、側方脚部と成形面とは、コンベンショナルな配電盤キャビネットのフレーム枠の垂直方向のフレーム成形材の領域の配置に倣っている。
【０００９】
特に簡単な枠構成は、垂直方向フレームが、垂直方向のフレーム成形材のベース脚部を以て底部部材及び屋根部材の固定縁部の内側に接触し且つ底部部材及び屋根部材と結合されていると得られる。
【００１０】
垂直方向フレームの底部部材及び屋根部材との結合は、垂直方向フレームが、垂直方向のフレーム成形材のベース脚部を以て底部部材及び屋根部材の固定縁部の内側に接触し且つ底部部材及び屋根部材と結合されていることにより解決される。
【００１１】
１改良において、垂直方向フレームの垂直方向のフレーム成形材と水平方向のフレーム成形材とが、薄板打抜き・曲げ部材として形成されており且つ溶接によって垂直方向フレームを成すように結合されていると、垂直方向フレームは廉価に製作可能であり且つ位置調整された形状安定型の構成ユニットを成している。この構成ユニットは、底部部材及び屋根部材と相まって迅速且つ簡単に１つのフレーム枠に組み立てられる。
【００１２】
底部部材及び屋根部材は、有利な構成ではフレーム枠の被覆部材として形成されており、やはり薄板打抜き・曲げ部材として製作され得る。この場合、底部部材及び屋根部材は配電盤キャビネットのための別の機能を引き受け且つ別個の底部被覆及び屋根被覆を不要にする。
【００１３】
以下に、本発明の実施例を図面につき詳しく説明する。
【００１４】
図１に示したように、２つの垂直方向のフレーム成形材１０と、２つの水平方向のフレーム成形材１５とは１つの垂直方向フレーム２０を形成している。フレーム成形材１０，１５は角隅域において互いに溶接されており、安定した位置調整された１構成ユニットを形成している。この場合、垂直方向のフレーム成形材１０は、ベース脚部１２と２つの側方脚部１６とからｕ字形に形成されていてよく、しかも、ベース脚部１２は少なくとも１列の固定取付け部１１を支持しており且つ側方脚部１６は少なくとも１列の固定取付け部１７を支持していてよい。これらの固定取付け部１１，１７は同一に又は異なって形成され且つ組込み条件に適合されていてよい。フレーム成形材１０の形状も、別の形状で組込み条件に合わせられていてよい。
【００１５】
図５には、前記のようなｕ字形の垂直方向のフレーム成形材１０の１例が示されている。この垂直方向のフレーム成形材１０は、同一ピッチで互いに間隔をおいて配置された１列の固定取付け部１７が設けられた第１の側方脚部１６を有している。この場合、ピッチパターンはインチパターンに対応している。側方脚部１６からは、ベース脚部１２が直角に縁曲げされている。このベース脚部１２には、２列の固定取付け部１１が前記ピッチパターンで設けられている。ベース脚部１２の前記側方脚部１６とは反対の側の端部からは、成形区分１９が折り曲げられている。この成形区分１９は、前記側方脚部１６に対して平行に位置している。成形区分１９は、ベース脚部１２に対して平行に位置する成形面１８に移行する。この成形面１８からもやはり直角に、内縁部１８．２の形成下で第２の側方脚部１６が出発している。この第２の側方脚部１６と成形面とは、それぞれメートル法によるピッチパターンで設けられた１列の固定取付け部１７，１８．１を有している。これらの固定取付け部１７，１８．１は同一に形成されており、全て内縁部１８．２から同一の水平方向距離をおいて配置されている。
【００１６】
組み込まれた状態で、第２の側方脚部１６はフレーム枠の正面若しくは背面側に対して平行に位置している。ベース脚部１２は平行に位置しており且つフレーム枠の外面に面している。この場合、内縁部１８．２はフレーム枠によって取り囲まれた内室に面している。垂直方向フレーム２０の垂直方向フレーム成形材１０の第１の側方脚部１６（インチピッチ）は、互いに向かい合っており且つ互いに１９″の構成間隔をあけられている。垂直方向フレーム２０の垂直方向のフレーム成形材１０の成形面１８と第２の側方脚部１６とは、メートル法による組込み寸法を形成している。この場合、２つの垂直方向フレーム２０の間でこれらの垂直方向フレーム２０に、組込み部材を第２の側方脚部１６に接してフレーム枠の幅の方向で、且つ成形面１８に接して組込み部材をフレーム枠の奥行き方向で固定することができる。
【００１７】
２つの垂直方向フレーム２０は、フレーム枠の正面及び背面を形成する。垂直方向フレーム２０がその垂直方向の中心平面に対して対称的な場合は、当該垂直方向フレーム２０はフレーム枠の前記の２つの面のための各位置で使用することができる。従って、両垂直方向フレーム用には同一構成部材しか必要とされない。
【００１８】
図５に示した垂直方向のフレーム成形材１０を使用する場合も、やはり同一の垂直方向フレームが形成され得る。この場合、これらの垂直方向フレームは１８０°だけ回動させて組み込む必要がある。
【００１９】
両垂直方向フレーム２０は、底部部材及び屋根部材３０によって互いに結合され、これらの底部部材及び屋根部材３０は符号３０によって既に示したように、やはり同一に形成されている。この構成部材は、簡単な薄板打抜き・曲げ部材として構成且つ製作されており、配電盤キャビネットの底部領域及び屋根領域に関して別個の被覆部材を不要にすることができる。フレーム枠の２つの垂直方向面に面して、底部部材及び屋根部材３０は少なくとも１列の固定取付け部３２又は奥行き方向で延びる長孔を備えた、縁曲げされた固定縁部３１を支持しているので、図２に示したように、垂直方向フレーム２０は垂直方向のフレーム成形材１０のベース脚部１２を以て固定縁部３１の内側に接触しており且つこれらの固定縁部３１と結合可能である。この場合、間隔１３、つまり組込み奥行きは、所望の組込み条件に適合され得る。フレーム枠の背面は、背壁５０によって閉鎖可能である。
【００２０】
図１及び図２に示したように、固定縁部３１の自由縁部は外側に向かって縁曲げされていてよい。この縁曲げ部３４は、側壁４０を取り付けるために使用され得る。
【００２１】
底部部材及び屋根部材３０は、同一に形成されていてよく且つ固定縁部３１に対して平行に延びる中心平面に対して対称的に形成されている。水平方向のフレーム成形材１５の範囲内で、固定縁部を結合する板３６に複数の切欠き３７が設けられており、これらの切欠き３７は、フレーム成形材１５に設けられた開口１８と同様に、ケーブル等を導入するために使用され得る。板３６は、図４において明らかに認識可能であるように、中央開口３５を有していてもよい。
【００２２】
フレーム枠の正面域において、正面側の垂直方向フレーム２０の、固定取付け部１７を備えた側方脚部１６にアクセス可能であり、これらの側方脚部１６は、図３に示したように、例えば組込み部材の１９″の組込み寸法に合わせられている。底部部材及び屋根部材３０は、縁曲げ部３３を以て正面側と整合しており、これらの縁曲げ部３３は、キャビネットドアを枢着し且つ閉鎖するために使用され得る。
【図面の簡単な説明】
【００２３】
【図１】２つの垂直方向フレーム、１つの底部部材及び１つの屋根部材から構成されたフレームの斜視図である。
【図２】フレームの垂直方向面を示した図である。
【図３】フレームの正面を示した図である。
【図４】フレームの屋根部材を示した図である。
【図５】図１又は図２に示した垂直方向フレームに使用可能な垂直方向のフレーム成形材の横断面図である。
【図１】
2007524333.tif 000003
【図２】
2007524333.tif 000004
【図３】
2007524333.tif 000005
【図４】
2007524333.tif 000006
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
配電盤キャビネット用のフレーム枠であって、水平方向のフレーム成形材（１５）と垂直方向のフレーム成形材（１０）とを有しており、正面及び背面側の垂直方向のフレーム成形材（１０）と水平方向のフレーム成形材（１５）とが各１つの垂直方向フレーム（２０）を形成しており、これらの２つの垂直方向フレーム（２０）が、底部部材及び屋根部材（３０）によって互いに結合されており、しかも、当該の垂直方向フレーム（２０）が、底部部材及び屋根部材（３０）の縁曲げされた固定縁部（３１）に様々な間隔で取付け可能であり、垂直方向のフレーム成形材（１０）が、フレーム枠の奥行きの方向で延びるベース脚部（１２）を有しており、該ベース脚部に２つの側方脚部（１６）が結合されており、この場合、これらの側方脚部（１６）がベース脚部（１２）に対して直角に位置しており、側方脚部（１６）とベース脚部（１２）とが、それぞれ成形部材長手方向で延びる固定取付け部（１７）のピッチパターン列を有している形式のものにおいて、
２つの側方脚部（１６）のピッチパターンが互いに異なっており、この場合、２つの垂直方向のフレーム成形材（１０）が、それぞれ第１の側方脚部（１６）の固定取付け部（１７）を以てインチによる固定平面を形成しており且つ第２の側方脚部（１６）の固定取付け部（１７）を以てメートルによる固定平面を形成しており、ベース脚部（１２）の第１の側方脚部（１６）とは反対の側の端部が、折り曲げられた成形区分（１９）に移行しており、該成形区分（１９）から、ベース脚部（１２）に対して平行に位置する成形面（１８）が出発しており、該成形面（１８）から第２の側方脚部（１６）が縁曲げされており、成形面（１８）及び第２の側方脚部（１６）に、それぞれ同一ピッチパターンで配置された固定取付け部の列が設けられていることを特徴とする、配電盤キャビネット用のフレーム枠。
【請求項２】
垂直方向フレーム（２０）が、垂直方向のフレーム成形材（１０）のベース脚部（１２）を以て底部部材及び屋根部材（３０）の固定縁部（３１）の内側に接触し且つ底部部材及び屋根部材に結合されている、請求項１記載のフレーム枠。
【請求項３】
水平方向のフレーム成形材（１５）にケーブル導入開口（１８）が設けられており、底部部材及び屋根部材（３０）の、垂直方向フレーム（２０）の水平方向のフレーム成形材（１５）の領域に切欠き（３７）が設けられている、請求項１又は２記載のフレーム枠。
【請求項４】
垂直方向フレーム（２０）がそれぞれ同一に形成されている、請求項１から３までのいずれか１項記載のフレーム枠。
【請求項５】
底部部材及び屋根部材（３０）が、それぞれ同一に且つ固定縁部（３１）に対して平行に延びる中心平面に対して対称的に形成されている、請求項１から４までのいずれか１項記載のフレーム枠。
【請求項６】
垂直方向フレーム（２０）の垂直方向のフレーム成形材（１０）と水平方向のフレーム成形材（１５）とが、薄板打抜き・曲げ部材として形成されており且つ溶接によって垂直方向フレーム（２０）を形成するように結合されている、請求項１から５までのいずれか１項記載のフレーム枠。
【請求項７】
底部部材及び屋根部材（３０）が、フレーム枠の被覆部材として形成されており且つ薄板打抜き・曲げ部材として製作されている、請求項１から６までのいずれか１項記載のフレーム枠。
【手続補正２】
【補正対象書類名】明細書
【補正対象項目名】０００２
【補正方法】変更
【補正の内容】
【０００２】
このような形式のフレーム枠は、国際公開第９５／１７８０３号パンフレットから公知である。２つの垂直方向フレームは、底部部材及び屋根部材に接して互いに様々な間隔をあけて固定可能なので、フレーム枠は、組込み部材のために様々な組込み奥行きへもたらされる。この場合、垂直方向フレームは、縁曲げされて固定取付け部の列が設けられた縁部を有する構成ユニットを成す。
水平方向及び垂直方向のフレーム成形材には、底部部材及び屋根部材と同様に同列の固定取付け部が設けられており、これらの固定取付け部は、有利には均一なピッチパターンで配置されている。このピッチパターンは、組込み部材の固定位置のピッチパターンにも合わせられている。
【手続補正３】
【補正対象書類名】明細書
【補正対象項目名】０００３
【補正方法】変更
【補正の内容】
【０００３】
米国特許第６４７８１６６号明細書に記載されているように、間隔をあけられた２つの垂直方向フレームを有しており、これらの垂直方向フレームの場合、垂直方向のフレーム成形材がベース脚部と、縁曲げされた２つの側方脚部とを有しているフレーム枠も公知である。当該の垂直方向のフレーム成形材の側方脚部は、それぞれ異なる固定取付け部を異なるピッチパターンで支持している。
このような形式のフレーム枠への組込み部材としては、個別挿入部材が相並んで挿入可能な構成群支持体が益々用いられる。個別挿入部材は、それぞれ異なる幅及び組込み奥行きを有しており、更に、メートルシステム又はインチシステムで構成されている。
【手続補正４】
【補正対象書類名】明細書
【補正対象項目名】０００４
【補正方法】変更
【補正の内容】
【０００４】
本発明の課題は、冒頭で述べた形式のフレーム枠を改良して、フレーム枠がユニット構成部材を以て、メートルシステムの組込み部材を組み込むためにも、インチシステムの組込み部材を組み込むため構成され得るようにすることである。
【手続補正５】
【補正対象書類名】明細書
【補正対象項目名】０００５
【補正方法】変更
【補正の内容】
【０００５】
この課題は本発明に基づいて、２つの側方脚部のピッチパターンが互いに異なっており、この場合、２つの垂直方向のフレーム成形材が、それぞれ第１の側方脚部の固定取付け部を以てインチによる固定平面を形成しており且つ第２の側方脚部の固定取付け部を以てメートルによる固定平面を形成しており、ベース脚部の第１の側方脚部とは反対の側の端部が、折り曲げられた成形区分に移行しており、該成形区分から、ベース脚部に対して平行に位置する成形面が出発しており、該成形面から第２の側方脚部が縁曲げされており、成形面及び第２の側方脚部に、それぞれ同一ピッチパターンで配置された固定取付け部の列が設けられていることによって解決される。
【手続補正６】
【補正対象書類名】明細書
【補正対象項目名】０００６
【補正方法】変更
【補正の内容】
【０００６】
２つの垂直方向フレームの可変の間隔によって、フレーム枠は組込み部材の組込み奥行きに適合され得る。垂直方向フレームは、正面側を向いた第１の側方脚部又は第２の側方脚部を以て底部部材及び屋根部材と結合可能である。この簡単な組込み形式によって、フレーム枠はメートルシステムで組込み部材を組み込むためにも、インチシステムで組込み部材を組み込むためにも設定可能である。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正書】
【提出日】平成17年10月21日(2005.10.21)
【手続補正１】
【補正対象書類名】図面
【補正対象項目名】全図
【補正方法】変更
【補正の内容】
【図１】
2007524333.tif 000007
【図２】
2007524333.tif 000008
【図３】
2007524333.tif 000009
【図４】
2007524333.tif 000010
【図５】
2007524333.tif 000011
【国際調査報告】
2007524333.tif 000012
2007524333.tif 000013
2007524333.tif 000014
2007524333.tif 000015